(57)【要約】【課題】座金のガタツキを防止することのできるマッサージ装置を提供する。【解決手段】施療子を設けたベース台２２Ａと、このベース台２２Ａに形成した凹部２７に取り付ける座金７０とを備え、この座金７０は、凹部２７の側面２７ａに対向する側壁部７２と、その凹部２７の底部に当接する底壁部７１とを有し、この底壁部７１を回転軸４３に装着してこの回転軸の回転によってベース台２２Ａを回転させる施療子の回転機構であって、座金７０の側壁部７２に当接するリブ２８を凹部２７の側面２７ａに設けて、その座金７０を凹部２７に圧入する。【選択図】  図１３
2004222804.tif 000002
【特許請求の範囲】
【請求項１】
施療子を設けたベース台と、このベース台に形成した凹部に取り付ける座金とを備え、この座金は、前記凹部の側面に対向する側壁部と、その凹部の底部に当接する底壁部とを有し、この底壁部を回転軸に装着してこの回転軸の回転によって前記ベース台を回転させるマッサージ装置であって、
前記座金の側壁部に当接するリブを前記凹部の側面に設けて、その座金を凹部に圧入することを特徴とするマッサージ装置。
【発明の詳細な説明】
【０００１】
【発明の属する技術分野】
この発明は、施療子を設けたベース台を座金を介して回転軸に装着し、この回転軸の回転によってベース台を回転させるマッサージ装置に関する。
【０００２】
【従来の技術】
従来から、図２２に示すように首や肩のマッサージを行うマッサージユニット１００が知られている（特許文献１参照）。
【０００３】
かかるマッサージユニット１００は、樹脂製のベース台１０１と、このベース台１０１の表面１０１Ａに配置されるとともにベース台１０１の一端に軸支された回動板１０２と、この回動板１０２の他端に設けた揉み玉１０３と、ベース台１０１と回動板１０２との間に配置されたエアバッグ１０４等とを備えている。そして、エアバッグ１０４の膨張により、図２３に示すように回動板１０２が矢印方向に回動して揉み玉１０３が首や肩の施療部位を押圧していくようになっている。
【０００４】
ベース台１０１は、座金１１０を介して回転軸１０６に装着されている。座金１１０は、４角形状の底壁部１１１とこの底壁部１１１の側端に形成された４つの側壁部１１２とを有しており、この座金１１０がベース台１０１に設けた凹部１０５内に挿入されている。座金１１０の底壁部１１１は凹部１０５の底部に当接し、座金１１０の各側壁部１１２がその凹部１０５の各側面１０５Ａにそれぞれ当接している。そして、座金１１０の底壁部１１１に設けた軸孔１１３に回転軸１０６の先端部１０６Ａが挿入され、この回転軸１０６の回転によって座金１１０とベース台１０１とが一体となって回転していくようになっている。
【０００５】
【特許文献１】
特開２０００−２０９９６２号公報（段落１６，１７、図３参照）
【０００６】
【発明が解決しようとする課題】
しかしながら、このようなマッサージユニット１００にあっては、ベース台１０１は射出成形により形成され、しかも座金１１０は板金加工等により側壁部１１２を形成しているので、凹部１０５内の４つの側面に座金１１０の４つの側壁部１１２の面全体を密接させることが難しく、このため、座金１１０がベース台１０１の凹部１０５内でガタツク等の問題があった。
【０００７】
この発明の目的は、座金のガタツキを防止することのできるマッサージ装置を提供することにある。
【０００８】
【課題を解決するための手段】
上記目的を達成するため、請求項１の発明は、施療子を設けたベース台と、このベース台に形成した凹部に取り付ける座金とを備え、この座金は、前記凹部の側面に対向する側壁部と、その凹部の底部に当接する底壁部とを有し、この底壁部を回転軸に装着してこの回転軸の回転によって前記ベース台を回転させる施療子の回転機構であって、
前記座金の側壁部に当接するリブを前記凹部の側面に設けて、その座金を凹部に圧入することを特徴とする。
【０００９】
【実施の形態】
以下、この発明に係るマッサージ装置の実施の形態を図面に基づいて説明する。
【００１０】
図１に示すマッサージ装置１は、装置本体２とこの装置本体２の上面に載置された蓋体３とを備えている。蓋体３は、ファスナー４により装置本体２に装着され、そのファスナー４を外すことにより装置本体２から取り外せるようになっている。また、蓋体３は図示しないクッション材とこのクッション材を覆った布製のカバー５とから構成されている。
【００１１】
装置本体２は、図２に示すように、円筒状の本体ケース１０と、この本体ケース１０の上部に取り付けられた上板（ベース体）１１の上に回動自在に配置された一対のマッサージユニット２０Ａ，２０Ｂと、このマッサージユニット２０Ａ，２０Ｂのエアバッグ２１Ａ，２１Ｂ（図）を膨縮させる給排気装置３０と、マッサージユニット２０Ａ，２０Ｂを回動させる駆動装置４０等とを備えている。
【００１２】
本体ケース１０の周壁１２の外周囲と上板１１の上とにはクッション材１３，１４が取り付けられ、このクッション材１３，１４は布製のカバー１５（図３参照）によって覆われている。カバー１５の上面からは、図３に示すように電源コード１６とリモコン装置６０のコード１７とが引き出されており、電源コード１６とモコン装置６０とコード１７とを図４に示すようにカバー１５の上面に載置して蓋体３をファスナー４により装置本体２に装着することによりコード１６，１７とリモコン装置６０とが図１に示すように隠れ、マッサージ装置１は見栄えのよいものになっている。
【００１３】
給排気装置３０は、図５に示すように、エアを供給するエアポンプ３１と、このエアポンプ３１から供給されるエアを貯めるエアタンク３２と、エアバック２１，２１の給排気を行わせる電磁弁３３等とを備えている。エアポンプ３１とエアタンク３２と電磁弁３３は本体ケース１０の底部１０Ａに取り付けられている。
【００１４】
電磁弁３３の弁（図示せず）は、３つの第１〜第３位置に切換可能となっており、第１位置に切り換えられるとエアタンク３２とエアバッグ２１Ａ，２１Ｂとが連通してエアバッグ２１Ａ，２１Ｂに空気が供給され、第２位置に切り換えられるとエアバッグ２１Ａ，２１Ｂへの空気の供給が停止されてエアバッグ２１Ａ，２１Ｂは膨張された状態を維持して一定の圧力を保つようになっている。すなわち、エアバッグ２１Ａ，２１Ｂは保圧するようになっている。また、弁が第３位置に切り換えられると、エアバッグ２１Ａ，２１Ｂは大気に開放されて収縮していくようになっている。
【００１５】
駆動装置４０は、図６に示すように、本体ケース１０の底部１０Ａに取り付けたギアボックス４１と、このギアボックス４１の側面に取り付けたモータ４２とを有している。ギアボックス４１の天板４１Ａには上方に突出した一対の回転軸４３，４４が回転自在に設けられており、この回転軸４３，４４はギアボックス４１内に設けた図示しないギア列やウオーム等を介してモータ４２の駆動軸（図示せず）に連結され、モータ４２の駆動によって回転軸４３，４４は互いに反対方向に回動するようになっている。
【００１６】
また、本体ケース１０内には、図７に示すようにほぼ半円形状のスベリ板１８が取り付けられており、このスベリ板１８の上面とギアボックス４１の天板４１Ａの上面とはほぼ面一となっている。スベリ板１８は摩擦の小さい樹脂性の材質から形成され、スベリ板１８の周端部に切欠１８Ａが形成されている。この切欠１８Ａには、枝管３４が配置され、枝管３４の下部は電磁弁３３の給気口（図示せず）に接続され、枝管３４は電磁弁３３を介してエアタンク３２に連通されるようになっている。
【００１７】
枝管３４の枝管部３４Ａは、スベリ板１８の切欠１８Ａからスベリ板１８の上に突出しており、その枝管部３４Ａの一方がホース３５を介してマッサージユニット２０Ａのエアバッグ２１Ａに連通され、枝管部３４Ａの他方がホース３６を介してマッサージユニット２０Ｂのエアバッグ２１Ｂに連通されている。ホース３５，３６はスベリ板１８の上に載置されている。ホース３５，３６は、マッサージユニット２０Ａ，２０Ｂの回動に追従してスベリ板１８の上を移動するが、そのスベリ板１８によりその移動がし易いようになっているので、マッサージユニット２０Ａ，２０Ｂの回動に支障を来してしまうことがない。
【００１８】
そして、スベリ板１８およびギアボックス４１の天板４１Ａから所定距離離間した上方位置には図２および図８に示すように上板１１が傾斜して取り付けられている。上板１１には一対の穴１１Ａ，１１Ｂが形成され、穴１１Ａ，１１Ｂは半円形の穴部１１Ａａ，１１Ｂａとこの穴部１１Ａａ，１１Ｂａに連続して形成された円弧状の円弧穴部１１Ａｂ，１１Ｂｂとを有している。穴部１１Ａａ，１１Ｂａの曲率中心位置の近傍にはギアボックス４１の回転軸４３，４４の上部が配置され、この回転軸４３，４４の上部に図９および図１０に示すようにマッサージユニット２０Ａ，２０Ｂが装着されている。マッサージユニット２０Ａ，２０Ｂは回転軸４３，４４の回動により回転軸４３，４４とともに回動していくようになっている。
【００１９】
また、穴１１Ａ，１１Ｂの円弧穴部１１Ａｂ，１１Ｂｂにはホース３５，３６が通されてマッサージユニット２０Ａ，２０Ｂのエアバッグ２１Ａ，２１Ｂにそのホース３５，３６が接続されている。
【００２０】
マッサージユニット２０Ａは、図１１に示すように、傾斜面２２ａを有するベース台（移動部材）２２Ａと、このベース台２２Ａの傾斜面２２ａに配置されるとともにベース台２２Ａの一端に軸支された回動板２３Ａと、この回動板２３Ａの他端に設けた揉み玉（施療子）２４Ａと、ベース台２２Ａと回動板２３Ａとの間に配置されたエアバッグ２１Ａ等とを備えている。回動板２３Ａは、バネ２５Ａにより時計回りに付勢されており、図１２に示すようにエアバッグ２１Ａの膨張によりバネ２５Ａの付勢力に抗して反時計回りに回動していくようになっている。エアバッグ２１Ａが大気に開放されると、回動板２３Ａはバネ２５の付勢力により時計回りに回動してエアバッグ２１Ａを強制的に収縮させていくようになっている。
【００２１】
ベース台２２Ａには、図１３に示すように上面が開放された４角形状の凹部２７が形成されている。この凹部２７内の４つの各側面２７ａの下部には、図１４および図１５に示すように、上下に延びた複数のリブ２８が形成され、リブ２８の上部は傾斜面２８ａとなっている。
【００２２】
また、ベース台２２Ａの凹部２７の下側には下方に突出した軸部２６Ａが形成され、この軸部２６Ａと凹部２７の底部２７Ａには上下に貫通した軸孔２９が形成されている。
【００２３】
ベース台２２Ａの凹部２７の各側面２７ａのリブ２８間には座金７０が圧入されている。座金７０は、４角形状の底壁部７１と、この底壁部７１の各側端に起立して形成された側壁部７２とを有している。座金７０の底壁部７１にはＤカットされた回転軸４３の先端部が嵌入する軸孔７３が形成されている。
【００２４】
この座金７０は、図１４に示すように、ベース台２２Ａの凹部２７に矢印方向から挿入して、その凹部２７内の各側面２７ａのリブ２８間に圧入していき、座金７０の底壁部７１を凹部２７の底部に当接させて、図１３および図１６に示すようにその凹部２７に取り付けるものである。この圧入により、座金７０の各側壁部７２が凹部２７の各側面２７ａのリブ２８に圧接するので、座金７０の軸孔７３の芯出しを正確に行うことができるとともに、座金７０はその凹部２７内でガタついてしまうことが防止される。
【００２５】
また、座金７０を圧入していく際、リブ２８の上部が傾斜面２８ａとなっているので、その座金７０は各側面２７ａのリブ２８間に案内されるので、その圧入は大変し易いものとなる。
【００２６】
そして、ベース台２２Ａの軸部２６Ａの軸孔２９にギアボックス４１の回転軸４３を挿入して、図１３に示すようにその回転軸４３の先端部４３Ａを座金７０の底壁部７１の軸孔７３に嵌入させるとともに、ベース台２２Ａの軸部２６Ａの下部を回転軸４３に設けたフランジ４５Ａに当接させる。そして、回転軸４３の先端部４３Ａに図示しないナットを螺合させてベース台２２Ａを回転軸４３に固定する。この固定により、マッサージユニット２０Ａは回転軸４３に保持される。なお、回転軸４３の先端部４３Ａにはナットを螺合するためのネジが切られている。
【００２７】
マッサージユニット２０Ｂもマッサージユニット２０Ａと同様な構成となっているのでその説明は省略する。また、マッサージユニット２０Ｂもマッサージユニット２０Ａと同様にしてギアボックス４１の回転軸４４に装着され、この回転軸４４に保持されている。
【００２８】
図１７は給排気装置３０の構成を示したブロック図であり、図１７において、５０はＣＰＵ等から構成される制御装置であり、この制御装置５０はリモコン装置６０の操作部６１の操作に基づいてエアーポンプ３１や電磁弁３３やモータ４２を制御するようになっている。制御装置３０は、本体ケース１０の底部１０Ａに取り付けた図示しない回路基板に設けられている。
［動  作］
次に、上記のように構成されるマッサージ装置１の動作を説明する。
【００２９】
先ず、図３に示すようにマッサージ装置１の装置本体２から蓋体３を外し、装置本体２の上面に肩から頭を載せる。なお、本体ケース１０の高さの低い側を肩の下に入れる。そして、リモートコントロール装置６０の操作部を操作して例えばねりモードを選択すると、エアポンプ３１が駆動されるとともに電磁弁３３の弁が第１位置に切り換わり、マッサージユニット２０Ａ，２０Ｂのエアバッグ２１Ａ，２１Ｂに給気が行われてエアバッグ２１Ａ，２１Ｂが膨張されていく（図１２参照）。なお、マッサージユニット２０Ａ，２０Ｂは初期位置である例えば図１８に示す位置に位置している。
【００３０】
そして、その給気が所定時間行われると、電磁弁３３の弁が第２位置に切り換わり、エアバッグ２１Ａ，２１Ｂの給気が停止されてエアバッグ２１Ａ，２１Ｂは膨張した状態を維持する。すなわち、エアバッグ２１Ａ，２１Ｂは、図１９に示すように所定の圧力Ｐ１を保圧することになる。
【００３１】
ところで、エアバッグ２１Ａ，２１Ｂの膨張によって、マッサージユニット２０Ａ，２０Ｂの回動板２３Ａ，２３Ｂが回動するので（図１２参照）、回動板２３Ａ，２３Ｂの揉み玉２４Ａ，２４Ｂが首の根本を挟み込むようにして押圧する。
【００３２】
そして、エアバッグ２１Ａ，２１Ｂの給気が停止されてから所定時間後に、エアバッグ２１Ａ，２１Ｂは圧力Ｐ１を保圧した状態で、モータ４２が駆動されて回転軸４３，４４が回転していく。この回転軸４３の回転により、座金７０およびベース台２２Ａが一体となって回転していく。座金７０は、その軸孔７３の芯出しが正確に出されているとともに、ベース台２２Ａの凹部２７内にガタツキなく取り付けられているので、ベース台２２Ａは回転軸４３の回転によりスムーズに回転していくことになる。すなわち、マッサージユニット２０Ａは回転軸４３の回転によりスムーズに回転していく。
【００３３】
マッサージユニット２０Ｂもマッサージユニット２０Ａと同様に回転軸４４の回転によりスムーズに回転していく。
【００３４】
マッサージユニット２０Ａ，２０Ｂは、図１８に示す位置から矢印方向に回動して図２０に示す位置まで回動すると、モータ４２は逆転駆動されて、マッサージユニット２０Ａ，２０Ｂは図１８に示す元の初期位置に戻る。すなわち、マッサージユニット２０Ａ，２０Ｂは一往復回動される。
【００３５】
このマッサージユニット２０Ａ，２０Ｂの往復回動により、首を挟み込んだ揉み玉２４Ａ，２４Ｂが一定の力で首を押圧しながらその首筋に沿って往復移動して、その首筋をマッサージしていくことになる。
【００３６】
マッサージユニット２０Ａ，２０Ｂが初期位置に戻ってから所定時間経過後に、モータ４２が逆転駆動されて図２１に示す実線位置までマッサージユニット２０Ａ，２０Ｂは回動され、この後、モータ４２が正転されてマッサージユニット２０Ａ，２０Ｂは実線位置から鎖線位置（初期位置）へ戻り、モータ４２は停止されるる。すなわち、マッサージユニット２０Ａ，２０Ｂは図２１に示す鎖線位置と実線位置との間を一往復回動する。このマッサージユニット２０Ａ，２０Ｂの往復回動により、肩に沿って揉み玉２４Ａ，２４Ｂが往復移動しながら肩を押圧していく。この押圧により肩のマッサージが行われる。
【００３７】
マッサージユニット２０Ａ，２０Ｂが図２１に示す鎖線位置に戻ると、電磁弁３３の弁が第１位置に切り換えられてエアバッグ２１Ａ，２１Ｂに給気が所定時間行われる。このエアバッグ２１Ａ，２１Ｂはさらに膨張し圧力がＰ２となり、揉み玉２４Ａ，２４Ｂが首の根本をさらに強い力で押圧することになる。そして、上記と同様にして、エアバッグ２１Ａ，２１Ｂは圧力Ｐ２を保圧してマッサージユニット２０Ａ，２０Ｂが往復回動し、揉み玉２４Ａ，２４Ｂが上記より強い力で押圧しながら移動して首筋および肩の線に沿ってマッサージを行っていく。
【００３８】
このように、マッサージユニット２０Ａ，２０Ｂの回動により、揉み玉２４Ａ，２４Ｂが首筋や肩の線に沿って一定の力で押圧しながら移動するので、首筋や肩の線に沿ってマッサージすることができ、しかも、揉み玉２４Ａ，２４Ｂによる押圧部位が変わっていくので、良好なマッサージ効果を得ることができる。また、揉み玉２４Ａ，２４Ｂが首筋や肩の方向へ一往復移動する毎にエアバッグ２１Ａ，２１Ｂの圧力が高くなって揉み玉２４Ａ，２４Ｂの押圧力が強くなっていくので、さらに良好なマッサージ効果を得ることができる。
【００３９】
そして、マッサージユニット２０Ａ，２０Ｂの回動が図１９に示す時点ｔａで停止してから所定時間経過後（時点ｔｂ）に電磁弁３３の弁が第３位置に切り換わり、エアバッグ２１Ａ，２１Ｂは大気に開放され、回動板２３Ａ，２３Ｂがスプリングの付勢力により回動することによりエアバッグ２１Ａ，２１Ｂは収縮していき、回動板２３Ａ，２３Ｂは図１１に示す位置に戻る。これにより、揉み玉２４Ａ，２４Ｂによる首への押圧力は解除される。
【００４０】
これらの動作（図１９に示す時点ｔ０から時点ｔｃまでの動作）を繰り返し行うことにより、首および肩のマッサージをより効果的に行うことができる。また、この実施形態では、図１９に示す時点ｔｃからエアバッグ２１Ａ，２１Ｂを収縮（減圧）させてマッサージ動作を終了させているが、エアバッグ２１Ａ，２１Ｂを段階的に収縮させ、この際のエアバッグ２１Ａ，２１Ｂの保圧時にマッサージユニット２０Ａ，２０Ｂを回動させて、上記と同様にしてマッサージを行なわせて終了するようにしてもよい。この場合、揉み玉２４Ａ，２４Ｂの押圧力は段階的に弱くなってマッサージが終了することになるので、リラックスすることができる。
【００４１】
また、上記実施形態では、マッサージユニット２０Ａ，２０Ｂが一往復移動（一往復回動）する毎（一移動サイクル毎）にエアバッグ２１Ａ，２１Ｂを加圧しているが、数往復毎や半往復毎に加圧してもよい。また、エアバッグ２１Ａ，２１Ｂの保圧を２段階行っているが３段階以上行ってもよい。
【００４２】
上記実施形他では、揉み玉２４Ａ，２４Ｂによって人体の施療部位を押圧しているが、エアバッグで人体の施療位置を直接押圧するようにしてもよい。
【００４３】
【発明の効果】
以上説明したように、この発明によれば、座金のガタツキを防止することができる。
【図面の簡単な説明】
【図１】この発明に係わるマッサージ装置の外観を示した斜視図である。
【図２】マッサージ装置の装置本体の構成を示した断面図である。
【図３】マッサージ装置の装置本体を示した外観斜視図である。
【図４】装置本体の上に電源コードとリモコン装置とを載置した状態を示した説明図である。
【図５】本体ケースの底部にエアポンプとエアタンクと電磁弁などを取り付けた状態を示した斜視図である。
【図６】図５に示す本体ケースの底部にギアボックスを取り付けた状態を示した斜視図である。
【図７】図６に示す本体ケースにスベリ板を取り付けた状態を示した説明図である。
【図８】図７に示す本体ケースに上板を取り付けた状態を示した説明図である。
【図９】ギアボックスの回転軸にマッサージユニットを装着した状態を示した説明図である。
【図１０】本体ケースにクッション材を取り付けた状態を示した斜視図である。
【図１１】マッサージユニット構成を示した断面図である。
【図１２】マッサージユニットのエアバッグが膨張した状態を示した説明図である。
【図１３】ベース台の構成を示した断面図である。
【図１４】ベース台の凹部を拡大した部分拡大断面図である。
【図１５】図１４の凹部を示した平面図である。
【図１６】図１５に示す凹部に座金を取り付けた状態を示した平面図である。
【図１７】給排気装置の構成を示したブロック図である。
【図１８】ギアボックスの回転軸にマッサージユニットを装着した状態を示した平面図である。
【図１９】エアバックの動作とモータの動作を示したタイムチャートである。
【図２０】図１４に示すマッサージユニットが首方向に回動した状態を示した説明図である。
【図２１】図１４に示すマッサージユニットが肩方向に回動した状態を示した説明図である。
【図２２】従来のマッサージユニットを示した斜視図である。
【図２３】従来のマッサージユニットの構成を示した説明図である。
【符号の説明】
２２Ａ                                    ベース台
２７                                        凹部
２７ａ                                    側部
２８                                        リブ
７０                                        座金
７１                                        底壁部
７２                                        側壁部
【図１】
2004222804.tif 000003
【図２】
2004222804.tif 000004
【図３】
2004222804.tif 000005
【図４】
2004222804.tif 000006
【図５】
2004222804.tif 000007
【図６】
2004222804.tif 000008
【図７】
2004222804.tif 000009
【図８】
2004222804.tif 000010
【図９】
2004222804.tif 000011
【図１０】
2004222804.tif 000012
【図１１】
2004222804.tif 000013
【図１２】
2004222804.tif 000014
【図１３】
2004222804.tif 000015
【図１４】
2004222804.tif 000016
【図１５】
2004222804.tif 000017
【図１６】
2004222804.tif 000018
【図１７】
2004222804.tif 000019
【図１８】
2004222804.tif 000020
【図１９】
2004222804.tif 000021
【図２０】
2004222804.tif 000022
【図２１】
2004222804.tif 000023
【図２２】
2004222804.tif 000024
【図２３】
2004222804.tif 000025